(57)【特許請求の範囲】
【請求項１】
記録媒体上において管理可能な複数の区画にわたって記録された一連のデータを利用するためのデータ処理装置であって、
前記データのうちの利用を可能とする１つ又は複数の区画を指定するためのものであって、ライセンスレベルに対応して第２の暗号鍵によってスクランブルがかけられたリンク情報を、格納するリンク情報格納手段と、
パスワードを入力する手段と、
第１の暗号鍵を入力する手段と、
暗号化された状態の第２の暗号鍵を入力する手段と、
ライセンスレベルを選択するための選択入力手段と、
選択されたライセンスレベルに対応するリンク情報を用いて前記記録媒体から前記データを読み出す手段と、
ライセンスレベルとしてライセンス無しが選択されたときに、対応するリンク情報を用いて前記データにアクセスし、第１の暗号鍵を用いて前記データを復号化する手段と、
ライセンスレベルとしてライセンス有りが選択されたときに、パスワードを用いて第２の暗号鍵を復号化し、復号化した第２の暗号鍵を用いて対応するリンク情報を復号化し、復号化したリンク情報を用いて前記データにアクセスし、第１の暗号鍵を用いて前記データを復号化する手段と、
を有することを特徴とするデータ処理装置。
【発明の詳細な説明】
【０００１】
【発明の属する技術分野】
本発明は、データ、主として映像データ、音声データ、又はテキストデータなどのコンテンツデータを利用するためのデータ処理装置および記録媒体に関する。
【０００２】
ＣＤーＲＯＭなどの記録媒体に記録されたコンピュータプログラム及びコンテンツデータなどについて、それらが模倣盗用されることを防止して適正な利用を図るために、種々の暗号鍵を用いてスクランブルをかけることが行われている。マルチメディアの進展にともなってデータ量が飛躍的に増大する中、スクランブルのための処理を効率的に行って適正な利用を推進する必要がある。
【０００３】
【従来の技術】
従来より、プログラム及びコンテンツデータなどをＣＤーＲＯＭなどの記録媒体により提供する場合に、その適正な利用を図るために、暗号鍵を用いてデータにスクランブルをかけることが行われている。スクランブルを解除するための暗号鍵は、例えば、電話又は通信などにより、データの提供者の側からそれらデータの利用を申し出た利用者に対して伝達される。その際に、データの提供者の側において、利用者に対し、必要に応じて課金処理を行う。
【０００４】
また、１つのデータについて、サンプル版（デモ版）と製品版との２種類のデータを１つの記録媒体に記録して提供することが行われている。その場合に、提供者は、サンプル版についてはスクランブルをかけることなく、製品版についてはスクランブルをかけて記録する。利用者は、サンプル版についてはそのまま無償で利用できるが、製品版については、スクランブルを解除するための暗号鍵などを有償で取得する必要がある。
【０００５】
【発明が解決しようとする課題】
従来においては、スクランブルのかかっていないサンプル版とスクランブルのかけられた製品版との２種類のデータが重複して記録されるため、データ量が増大していた。そのため、記録媒体に記録可能なコンテンツ又はプログラムの量が少なくなり、コスト高の要因となっていた。
【０００６】
また、サンプル版及び製品版といった単純な２種類のライセンスレベルのみではなく、もっと多くの種類のライセンスレベルに応じてデータを提供する場合には、それぞれの種類に応じたデータを記録する必要があり、データ量がさらに増大することとなる。
【０００７】
本発明は、上述の問題に鑑みてなされたもので、従来のようにデータ量を増大させることなく、複数のライセンスレベルに応じてデータの利用を制限することを可能とし、データの適正な利用を図ることを目的とする。
【００１８】
【課題を解決するための手段】
本発明に係る装置では、記録媒体ＳＴ上において管理可能な複数の区画ＢＫにわたって記録された一連のデータＤＴを利用するためのデータ処理装置であって、前記データＤＴのうちの利用を可能とする１つ又は複数の区画ＢＫを指定するためのものであって、ライセンスレベルに対応して第２の暗号鍵によってスクランブルがかけられたリンク情報Ｌを、格納するリンク情報格納手段１０ａと、パスワードを入力する手段と、第１の暗号鍵Ｋ１を入力する手段と、暗号化された状態の第２の暗号鍵Ｋ２を入力する手段と、ライセンスレベルを選択するための選択入力手段１３，１４と、選択されたライセンスレベルに対応するリンク情報を用いて前記記録媒体から前記データを読み出す手段１５，１７と、ライセンスレベルとしてライセンス無しが選択されたときに、対応するリンク情報を用いて前記データにアクセスし、第１の暗号鍵を用いて前記データを復号化する手段と、ライセンスレベルとしてライセンス有りが選択されたときに、パスワードを用いて第２の暗号鍵を復号化し、復号化した第２の暗号鍵を用いて対応するリンク情報を復号化し、復号化したリンク情報を用いて前記データにアクセスし、第１の暗号鍵を用いて前記データを復号化する手段と、を有してなる。
【００２３】
本発明に係る記録媒体は、データ処理装置によって利用するために、管理可能な複数の区画ＢＫにわたって一連のデータＤＴを記録した記録媒体ＳＴであって、前記データは、第１の暗号鍵Ｋ１によってスクランブルがかけられた状態で記録されており、前記データＤＴのうちの利用を可能とする１つ又は複数の区画ＢＫを指定するためのリンク情報Ｌが、ライセンスレベルに対応して複数種類格納されており、前記ライセンスレベルとして、ライセンス有りとライセンス無しとの２種類のライセンスレベルが設定されており、ライセンス有りに対応する前記リンク情報Ｌは、第２の暗号鍵Ｋ２によってスクランブルがかけられており、前記第２の暗号鍵Ｋ２が、暗号化された状態で当該記録媒体に記録されており、前記データ処理装置に読み込まれたときに、ライセンス無しが選択されたときには、対応するリンク情報Ｌを用いて前記データにアクセスし、第１の暗号鍵Ｋ１を用いて前記データの複号化が可能であり、ライセンス有りが選択されたときには、パスワードを用いることによって前記第２の暗号鍵Ｋ２を復号化し、復号化した前記第２の暗号鍵Ｋ２を用いて対応する前記リンク情報Ｌを復号化し、復号化したリンク情報Ｌを用いて前記データにアクセスし、第１の暗号鍵Ｋ１を用いて前記データの複号化が可能である。
【００２７】
【発明の実施の形態】
図１は本発明に係るデータ処理装置１を示すブロック図、図２は記録媒体ＳＴに記録されているデータの例を示す図、図３はコンテンツデータＤＴ１の記録状態の例を示す図、図４はリンク領域ＬＡの記録状態の例を示す図、図５はリンク領域ＬＢの記録状態の例を示す図、図６は記録媒体ＳＴを利用する際に表示面ＨＧに表示される初期メニュー画面ＨＧ１の例を示す図である。
【００２８】
図１において、データ処理装置１は、処理装置１０、ハードディスク装置１１、媒体ドライブ装置１２、キーボード１３、マウス１４、表示装置１５、プリンタ装置１６、及びスピーカ装置１７などから構成される。
【００２９】
ハードディスク装置１１には、種々のデータ及びプログラムが予め記憶され、また、媒体ドライブ装置１２によって読み取られた記録媒体ＳＴの内容が記憶される。媒体ドライブ装置１２は、記録媒体ＳＴをセットすることにより、記録媒体ＳＴからのデータの読み出し又は書き込みが可能である。記録媒体ＳＴとして、ＣＤーＲＯＭ、ＭＯ、ＤＶＤ、フロッピィディスク、又はコンパクトフラッシュメモリなど、種々のものが用いられるが、媒体ドライブ装置１２として、それら記録媒体ＳＴに対応した装置が用いられる。
【００３０】
キーボード１３及びマウス１４は、利用者が操作することによって、各種のＩＤコード（識別コード）、パスワード、暗号鍵、又はその他のデータ又はコマンドなどを入力することが可能である。
【００３１】
表示装置１５の表示面ＨＧには、記録媒体ＳＴを利用する際の初期メニュー画面ＨＧ１、ＩＤコード、パスワード、又は暗号鍵などを手動で入力する場合のその入力画面、記録媒体ＳＴに記録されたコンテンツデータによる映像、その他の種々のデータ又は画像などが表示される。プリンタ装置１６には、表示装置１５に表示される種々の画面の内容、その他のデータ又は画像をプリントすることが可能である。スピーカ装置１７からは種々の音声が出力される。
【００３２】
処理装置１０は、ＣＰＵ、ＲＡＭ及びＲＯＭなどのメモリ、その他の種々の周辺素子、モデムなどの通信制御装置などを有する。処理装置１０は、記録媒体ＳＴが媒体ドライブ装置１２にセットされたときに、媒体ドライブ装置１２に対してその内容を読み取るように指令を出す。読み取ったデータ、例えば記録媒体ＳＴに記録されているコンテンツデータＤＴ、リンク情報Ｌ、ファイルシステムＦＳなど、及び受信したパスワード及び第１の暗号鍵Ｋ１などは、メモリ１０ａに記憶される。処理装置１０は、記録媒体ＳＴに記録されたプログラム、又は記録から読み込まれてハードディスク装置１１又はメモリなどに記憶されたプログラムなどによって、種々の処理を実行し、その結果を表示装置１５又はスピーカ装置１７に出力し、又はセンター３などの外部に出力する。なお、処理装置１０は、回線１８を介してネットワークＮＷに接続され、センター３との通信が可能である。
【００３３】
図２において、記録媒体ＳＴには、コンテンツデータＤＴ１，２…、アプリケーションＡＰ１、ファイルシステムＦＳ、リンク情報ＬＡ，ＬＢ，ＬＣ…、ユーザＩＤ（ＵＩＤ）、及び暗号鍵Ｋ２Ｓなどが記録されている。
【００３４】
コンテンツデータＤＴ１，２は、例えば、映画（動画）又は静止画などの映像データ、又は音楽、朗読、自然音などの音声データなどである。データベースであってもよく、またプログラムであってもよい。各コンテンツデータＤＴ１，２は、記録媒体ＳＴ上において管理可能な複数の区画、つまり、例えば、複数のセクタＢＫにわたって記録されている。複数のボリュームにわたって記録される場合もある。本実施形態において、コンテンツデータＤＴ１は、第１の暗号鍵Ｋ１によって暗号化されている。
【００３５】
アプリケーションＡＰ１は、コンテンツデータＤＴ１，２を利用するためのプログラムである。記録媒体ＳＴの利用を開始すると、まずアプリケーションＡＰ１が起動し、図６に示すような記録媒体ＳＴの利用に当たっての初期メニュー画面ＨＧ１が、表示装置１５の表示面ＨＧに表示される。
【００３６】
ファイルシステムＦＳは、コンテンツデータＤＴ及びアプリケーションＡＰ１などの記録状態を管理するための仕組みである。コンテンツデータＤＴなどのデータは、それぞれ、複数のセクタにわたって記録されているが、ファイルシステムＦＳは、どのデータがどのセクタに又はどのアドレスに記録されているかを管理する。ファイルシステムＦＳの管理するアドレス情報を旨く組み合わせることによって、長いデータの中から必要なものだけを取り出すことができる。
【００３７】
図３に示すように、コンテンツデータＤＴ１は、「０」から「７」までの各セクタＢＫ０〜７にわたって記録されている。各セクタＢＫ０〜７へのアクセスの際の開始アドレスＡＢ０〜７は、ファイルシステムＦＳによって管理されている。また、コンテンツデータＤＴ２は、「８」以降のセクタＢＫに記録されている。本実施形態においては、アプリケーションＡＰ１は、各コンテンツデータＤＴ１を利用するに際して、リンク情報Ｌとして記録されたアドレス情報を用いる。つまり、リンク情報ＬＡとして記録されたアドレス情報によって、順次、それらによって指定されたセクタＢＫに記録されたデータを読み出す。
【００３８】
リンク情報ＬＡ，ＬＢ，ＬＣ…は、各コンテンツデータＤＴにおいて、利用者による利用を可能とする１つ又は複数のセクタＢＫを指定するための情報である。１つのコンテンツデータＤＴに対して、１つ又は複数のリンク情報Ｌが設けられている。リンク情報Ｌが複数ある場合には、それらは、通常、ライセンスレベルに対応して設けられている。
【００３９】
本実施形態においては、コンテンツデータＤＴ１に対して、２つのリンク情報ＬＡ，ＬＢが設けられている。リンク情報ＬＡは、製品版のライセンスレベルに対応し、リンク情報ＬＢはサンプル版のライセンスレベルに対応する。リンク情報ＬＡは、第２の暗号鍵Ｋ２によって暗号化されている。リンク情報ＬＢは暗号化されていない。
【００４０】
図４（Ａ）に示すように、リンク情報ＬＡは、コンテンツデータＤＴ１の全部を順次読み出すことができるアドレス情報を暗号化したものである。すなわち、リンク情報ＬＡは、コンテンツデータＤＴ１の各セクタＢＫ０〜７にアクセスするためのアドレスＡＢ０〜７を暗号化した情報ＡＳ０〜７である。リンク情報ＬＡを第２の暗号鍵Ｋ２によって復号化すると、図４（Ｂ）に示す復号化リンク情報ＬＡＲとなる。したがって、製品版のコンテンツデータＤＴ１の読み出しの際には、図４（Ｂ）に示す復号化リンク情報ＬＡＲが用いられる。
【００４１】
図５に示すように、リンク情報ＬＢは、コンテンツデータＤＴ１の一部のみを順次読み出すことのできるアドレス情報である。本実施形態においては、リンク情報ＬＢは、コンテンツデータＤＴ１のうちの、「０」「２」「４」の各セクタＢＫのみを読み出すためのアドレス情報ＡＢ０，２，４である。
【００４２】
なお、本実施形態においては、リンク情報ＬＢがアドレス情報ＡＢ０，２，４からなっているが、他のセクタＢＫを読み出すアドレス情報ＡＢであってもよい。また、他の種々のセクタＢＫの組み合わせからなるアドレス情報ＡＢを、それぞれのライセンスレベルに応じたリンク情報Ｌとして設けておいてもよい。その場合に、課金の有無などに応じて、それらのリンク情報Ｌを、第２の暗号鍵Ｋ２又は他の暗号鍵Ｋによって暗号化しておいてよい。リンク情報Ｌは、ファイルシステムＦＳの一部として構成してもよい。
【００４３】
ユーザＩＤは、当該記録媒体ＳＴ又はコンテンツデータＤＴに対してユニークに付与されたものである。ユーザＩＤは、センター３との間の通信によって、パスワード及び第１の暗号鍵Ｋ１などを取得する際に用いられる。
【００４４】
暗号鍵Ｋ２Ｓは、第２の暗号鍵Ｋ２をパスワードによって暗号化したものであり、パスワードにより復号化することによって、第２の暗号鍵Ｋ２となる。第２の暗号鍵Ｋ２は、上に述べたように、リンク情報ＬＡの復号化に用いられる。
【００４５】
なお、パスワード及び第１の暗号鍵Ｋ１などを取得するには、種々の公知の方法を用いることが可能である。例えば、センター３との通信によって、データ処理装置１からセンター３に対して、ユーザＩＤ、及び利用者の選択したライセンスレベルなどを送信し、それに対応して、センター３からデータ処理装置１に対し、パスワード及び第１の暗号鍵Ｋ１を送信する。コンテンツＩＤなども同時に送信してもよい。センター３からの送信の際に、利用者の選択したライセンスレベルに応じて、センター３の側で利用者に対する課金処理を行う。課金処理として、例えば、予納金からの引き落とし、キャッシュカードからの引き落とし、クレジットカードを経由した引き落としなどが用いられる。
【００４６】
次に、記録媒体ＳＴの製作方法及びコンテンツデータＤＴ１の利用方法について、フローチャートを参照して説明する。
【００４７】
図７は記録媒体ＳＴの製作の手順を示すフローチャート、図８は記録媒体ＳＴの利用の手順を示すフローチャート、図９は記録媒体ＳＴの利用時におけるセンター３における処理手順を示すフローチャートである。
【００４８】
図７において、記録媒体ＳＴの製作に当たって、コンテンツデータＤＴを暗号化する（スクランブルをかける）ための第１の暗号鍵Ｋ１を生成する（＃１１）。第１の暗号鍵Ｋ１を用いて、コンテンツデータＤＴを暗号化する（＃１２）。サンプル版及び製品版のリンク情報ＬＡＲ，ＬＢを生成する（＃１３）。第２の暗号鍵Ｋ２を生成する（＃１４）。第２の暗号鍵Ｋ２を用いて、リンク情報ＬＡＲを暗号化し、リンク情報ＬＡを生成する（＃１５）。パスワードを生成し（＃１６）、パスワードにより第２の暗号鍵Ｋ２を暗号化して暗号鍵Ｋ２Ｓを生成する（＃１７）。
【００４９】
なお、暗号化に当たっては種々の公知の方法を用いることが可能である。例えば、リンク情報ＬＡＲを暗号化する場合に、１バイトの第２の暗号鍵Ｋ２を生成し、リンク情報ＬＡＲの各バイトのデータと第２の暗号鍵Ｋ２との排他的論理和を求め、得られたデータを暗号化されたリンク情報ＬＡとする。
【００５０】
コンテンツデータＤＴを暗号化したデータ、暗号鍵Ｋ２Ｓ、リンク情報ＬＡ，ＬＢ、及びアプリケーションＡＰ１などを、記録媒体ＳＴに記録する（＃１８）。
【００５１】
図８において、記録媒体ＳＴを購入した利用者は、記録媒体ＳＴをデータ処理装置１の媒体ドライブ装置１２にセットし（＃２１）、アプリケーションＡＰ１を起動する（＃２２）。これによって、図６に示す初期メニュー画面ＨＧ１が表示面ＨＧに表示される（＃２３）。
【００５２】
メニューとして、コンテンツの種類、サンプル版又は製品版のいずれかの選択ボタンが表示される。この画面ＨＧ１において、いずれかを選択すると（＃２４）、選択したコンテンツの識別コード、ユーザＩＤ、サンプル版又は製品版に応じたライセンスレベルが、センター３へ送信される（＃２５）。ライセンスレベルに応じて処理の選択枝が別れる（＃２６）。
【００５３】
製品版が指定された場合には、記録媒体ＳＴに記録されたリンク情報ＬＡ及び第２の暗号鍵Ｋ２が取り出される（＃２７，２８）。利用者の製品版に対応する支払いのための処理が行われる（＃２９）。この処理は、例えばセンター３の側での課金処理として実行される。
【００５４】
センター３からパスワード及び第１の暗号鍵Ｋ１を取得し（＃３０）、パスワードによって暗号鍵Ｋ２Ｓを復号化して第２の暗号鍵Ｋ２を生成する（＃３１）。第２の暗号鍵Ｋ２を用いて、リンク情報ＬＡを復号化し、復号化リンク情報ＬＡＲを得る（＃３２）。
【００５５】
リンク情報ＬＡに基づいて、コンテンツデータＤＴ１の記録された各セクタを順次指定し、データを読み出す（＃３３）。読み出したデータを、第１の暗号鍵Ｋ１を用いて復号化する（＃３４）。復号化したデータを出力する（＃３５）。すなわち、データが映像データ又はテキストデータである場合には、その映像又はテキストが表示面ＨＧに表示され、音声データである場合には、スピーカ装置１７から音声が出力される。
【００５６】
サンプル版が指定された場合には、記録媒体ＳＴに記録されたリンク情報ＬＢが取り出され（＃４１）、センター３から第１の暗号鍵Ｋ１を取得する（＃４２）。サンプル版である場合には、センター３の側での課金処理は実行されない。その後、リンク情報ＬＢに基づいてコンテンツデータＤＴ１のセクタが指定され、順次読み出される（＃３３）。読み出されたデータは、第１の暗号鍵Ｋ１によって復号化され（＃３４）、出力される（＃３５）。
【００５７】
図９において、センター３の側でユーザＩＤなどのデータ及びライセンスレベルを受信すると（＃５１）、ライセンスレベルに応じた処理が行われる。製品版である場合には、利用者に対する課金処理が行われ（＃５３）、パスワード及び第１の暗号鍵Ｋ１が利用者に送信される（＃５４）。サンプル版である場合には、第１の暗号鍵Ｋ１が利用者に送信される（＃５５）。
【００５８】
このように、種々のライセンスレベルに対応したリンク情報ＬＡ，ＬＢを記録媒体ＳＴに記録し、アプリケーションＡＰ１がリンク情報ＬＡ，ＬＢに基づいてコンテンツデータＤＴ１を読み出すようになっているので、記録媒体ＳＴには、１つのコンテンツデータＤＴ１については１つのデータのみを記録しておけばよい。したがって、従来のようにコンテンツデータを重複して記録する必要がなく、データ量が低減する。しかも、種々のライセンスレベルに応じた多数のリンク情報Ｌを記録しておくことができ、種々の利用形態に容易に対応することができる。したがって、従来のようにデータ量を増大させることなく、少ないデータ量で、複数のライセンスレベルに応じてデータの利用を制限し、又は利用を図ることが可能となり、データの適正な利用に貢献することができる。
【００５９】
特に、上に述べたコンテンツデータＤＴ１では、全体のデータの繋がりがシームレスであるため、必要な部分のみの取り出しを選択することができる。つまり、各セクタに記録されたデータのみを再生し、それなりに意味のある映像又は音声などとして出力することができる。この点、コンテンツデータでないプログラムの場合には、データを区切ってしまうことによって全く機能を有さなくなることがあるので、サブルーチンなどのように１つの処理機能を有する閉じたプログラム又はデータを、他のプログラム又はデータと混合しないように区画を管理する必要がある。
【００６０】
また、リンク情報ＬＡにはスクランブルをかけ、リンク情報ＬＢにはスクランブルをかけていない。このように、ライセンスレベルに応じて、スクランブルの有無、又はスクランブルを解除するための暗号鍵を異ならせることができる。つまり、従来では、コンテンツデータの全体にスクランブルがかかっているかいないかということでしかないが、本実施形態では、コンテンツデータの任意の箇所にスクランブルをかけることができる。また、リンク情報Ｌにおいて、セクタなどの区画の情報は連続的であっても間欠的であってもよい。
【００６１】
また、利用者において、記録媒体ＳＴのリンク情報Ｌを書き換えることを可能としてもよい。
【００６２】
図１０は記録媒体ＳＴのリンク情報Ｌの書き換えの手順を示すフローチャートである。
【００６３】
図１０において、利用者が、書き換えのためのパスワードを入力すると（＃６１）、そのパスワードが一致したか否かが処理装置１０において判断される（＃６２）。一致している場合に、利用者はリンク情報Ｌを書き換えることができる（＃６３）。なお、リンク情報Ｌを書き換えるのではなく、コンテンツデータの中身を書き換えることを可能としてもよい。パスワードは、例えばセンターから取得するようにすればよい。
【００６４】
リンク情報Ｌとして、１つのコンテンツデータＤＴ１のみでなく、複数のコンテンツデータにわたったアドレス情報を用いてもよい。
【００６５】
図１１は複数のコンテンツデータにわたったアドレス情報を用いたリンク情報ＬＥの例を示す図である。
【００６６】
図１１（Ａ）に示すように、記録媒体ＳＴ１には、音声データＤＴ２Ｗが、「０」から「９９」までのセクタに記録されている。図１１（Ｂ）に示すように、映像データＤＴ２Ｖが、「１００」から「１９９」までのセクタに記録されている。図１１（Ｃ）に示すように、リンク情報ＬＥとして、セクタ０，１，２の音声データＤＴ２Ｗを指定した後、セクタ１０８，１０９，１１０の映像データＤＴ２Ｖを指定し、最後には、セクタ９９の音声データＤＴ２Ｗ、セクタ１９９の映像データＤＴ２Ｖを指定する。
【００６７】
このように、音声データＤＴ２Ｗと映像データＤＴ２Ｖとを、混合して順次出力するようにリンク情報ＬＥを構成することもできる。
【００６８】
上述の実施形態においては、リンク情報ＬＡにはスクランブルをかけ、リンク情報ＬＢにはスクランブルをかけていないが、リンク情報ＬＢにもスクランブルをかけてよい。第１の暗号鍵Ｋ１及びパスワードをセンター３から通信で得ているが、通信以外の手段、例えば、電話、ファクシミリ、郵便などで得てもよい。また、センター３から得ることなく、記録媒体ＳＴの中に適当な方法で記録しておいてもよい。
【００６９】
上述の実施形態において、記録媒体ＳＴの種類、記録の方法、記録される情報又はデータの種類、個数、内容などは、種々変更することができる。暗号鍵、パスワード、ユーザＩＤ、コンテンツＩＤなどの内容、名称、その取得経路などは、適宜変更することができる。その他、データ処理装置１の全体又は各部の構成、処理の内容又は順序などは、本発明の趣旨に沿って適宜変更することができる。
【００７０】
【発明の効果】
本発明によると、従来のようにデータ量を増大させることなく、複数のライセンスレベルに応じてデータの利用を制限することが可能となり、データの適正な利用に貢献することができる。
【００７１】
また、ライセンスレベルに応じた課金処理を行うことができる。
【００７２】
請求項２の発明によると、データの模倣盗用の防止を図ることができる。
【００７３】
また、本発明によると、ライセンス有りに対応するリンク情報によるデータの無断読み出しを防止することができる。
【図面の簡単な説明】
【図１】本発明に係るデータ処理装置を示すブロック図である。
【図２】記録媒体に記録されているデータの例を示す図である。
【図３】コンテンツデータの記録状態の例を示す図である。
【図４】リンク情報ＬＡの記録状態の例を示す図である。
【図５】リンク領域ＬＢの記録状態の例を示す図である。
【図６】記録媒体を利用する際に表示面に表示される初期メニュー画面の例を示す図である。
【図７】記録媒体の製作の手順を示すフローチャートである。
【図８】記録媒体の利用の手順を示すフローチャートである。
【図９】記録媒体の利用時におけるセンターにおける処理手順を示すフローチャートである。
【図１０】記録媒体のリンク情報Ｌの書き換えの手順を示すフローチャートである。
【図１１】複数のコンテンツデータにわたったアドレス情報を用いたリンク情報ＬＥの例を示す図である。
【符号の説明】
１  データ処理装置
３  センター（提供者）
１０  処理装置
１０ａ  メモリ（リンク情報格納手段）
１３  キーボード（選択入力手段）
１４  マウス（選択入力手段）
１５  表示装置（出力する手段）
１７  スピーカ装置（出力する手段）
ＨＧ  表示面
ＨＧ１  初期メニュー画面（選択入力画面）
ＤＴ１，２  コンテンツデータ（一連のデータ）
ＢＫ  セクタ（区画）
ＳＴ  記録媒体
ＬＡ，ＬＢ，ＬＣ，ＬＤ，ＬＥ  リンク情報
Ｋ１  第１の暗号鍵
Ｋ２  第２の暗号鍵
Ｋ２Ｓ  暗号鍵（第２の暗号鍵）
ＵＩＤ  ユーザＩＤ
ＡＰ１  アプリケーション（アプリケーションプログラム、表示制御プログラム、出力処理プログラム）
【図１】
0003986192.tif 000002
【図２】
0003986192.tif 000003
【図３】
0003986192.tif 000004
【図４】
0003986192.tif 000005
【図５】
0003986192.tif 000006
【図６】
0003986192.tif 000007
【図７】
0003986192.tif 000008
【図８】
0003986192.tif 000009
【図９】
0003986192.tif 000010
【図１０】
0003986192.tif 000011
【図１１】
0003986192.tif 000012